(57)【要約】      （修正有）【課題】快適な睡眠を得ることのできる斜面角度と形状を備え、逆流性食道炎に対応したマットを提供する。【解決手段】主に上半身を載置する第１のマットと１ａ、主に下半身を載置する第２のマット１ｂとを折り畳み可能に連結し、これらのマットを展開敷設した状態で、前記第１のマット１ａは前記敷設面に対してその頂部側から下端側に向かって傾斜する背部載置面３を備える。さらに、前記第２のマット１ｂは前記連結部２ａからその略中央部まで所定の長さ設けられた水平面とその水平面の終端からそのマットの下端に向かって傾斜する脚部載置面４を備える構成とした。【選択図】図１
0003177474.tif 000002
【実用新案登録請求の範囲】
【請求項１】
主に上半身を載置する第１のマットと、主に下半身を載置する第２のマットとを折り畳み可能に連結してなり、これらのマットを展開敷設した状態で、
前記第１のマットは前記敷設面に対してその頂部側から下端側に向かって傾斜する背部載置面を備え、
前記第２のマットは前記連結部からその略中央部まで所定の長さ設けられた水平面とその水平面の終端からそのマットの下端に向かって傾斜する脚部載置面を備えたことを特徴とする逆流性食道炎対処用マット。
【請求項２】
第１のマットと第２のマットの折り畳み長さが等しいことを特徴とする請求項１記載の逆流性食道炎対処用マット。
【請求項３】
高弾性ウレタンフォームの上層に低反発ウレタンフォームを積層してマットを形成してなることを特徴とする請求項１又は請求項２記載の逆流性食道炎対処用マット。
【考案の詳細な説明】
【技術分野】
【０００１】
本考案は、敷布団やベッド或いは床に敷いて、仰臥または横臥して使用する逆流性食道炎対処用マットに関するものである。
【背景技術】
【０００２】
近年、胃酸や十二指腸液が食道に逆流することで、食道の粘膜を刺激し粘膜に炎症を引きおこす逆流性食道炎の患者が増加している。その症状は、胸焼け、胸からみぞおちにかけての痛み、喉の違和感や胸部不快感などを伴う。特に就寝中は起きている時に比べ食道が水平になり胃液が逆流しやすく、また、胃酸の分泌は午前２時頃をピークとするため、逆流性食道炎は就寝中に発症する傾向がある。そのため逆流性食道炎の患者は、睡眠不足に悩まされることが多く、時には社会生活に支障をきたすことも少なくない。
【０００３】
逆流性食道炎の治療法として、食生活や生活習慣などを改善することが挙げられる。日常生活において、消化に良いものを取り、食後横になるなど胃酸の逆流を増強する行為を避け、就寝時には頭を高くすることが有効とされている。そのため、患者の多くは、枕や敷布団の下に座布団やタオル等を重ねて枕を高くするほか、ベッド等のリクライニング機能を使い、上半身を起こした状態で就寝することで症状の緩和を促している。
【０００４】
そこで、この胃酸の逆流を防止するマットとして、例えば上半身を支えるマット部分の角度を１５°とした胸焼け防止マット（特許文献1参照）や、身体的な原因で安眠できない人が就寝時の体位を変更して安眠できるように、頭部側の高さを足元側より高くして傾斜をつけた寝具マット（特許文献２参照）が先に提案されている。
【先行技術文献】
【特許文献】
【０００５】
【特許文献１】実用新案登録第３０９８５９８号公報
【特許文献２】特開２００２−１７７０９６号公報
【考案の概要】
【考案が解決しようとする課題】
【０００６】
しかしながら、特許文献１に示すようなマットは、頭部は水平に保たれるため、横臥位で使用すると首が曲がり首肩を痛め易いという問題があった。
【０００７】
また、引用文献２に示すような寝具マットでは、伏面が常時傾斜しているため、就寝中に体が脚側にずれ落ちるという問題があった。そのため、就寝中の寝返りで姿勢が変わり、逆流性食道炎が発症しやすい時間帯まで傾斜姿勢を保持できず、逆流性食道炎の対処には不向きであった。
【０００８】
本考案は、上記の問題点に鑑みなされたもので、逆流性食道炎の症状を緩和するマットを提供することを目的とする。
【課題を解決するための手段】
【０００９】
このため本考案の逆流性食道炎対処用マットは、主に上半身を載置する第１のマットと、主に下半身を載置する第２のマットとを折り畳み可能に連結してなり、これらのマットを展開敷設した状態で、前記第１のマットは前記敷設面に対してその頂部側から下端側に向かって傾斜する背部載置面を備え、前記第２のマットは前記連結部からその略中央部まで所定の長さ設けられた水平面とその水平面の終端からそのマットの下端に向かって傾斜する脚部載置面を備えたことを第１の特徴とする。また、第１のマットと第２のマットの折り畳み長さが等しいことを第２の特徴とし、高弾性ウレタンフォームの上層に低反発ウレタンフォームを積層してマットを形成してなることを第３の特徴とする。
【考案の効果】
【００１０】
本考案の逆流性食道炎対処用マットは、以下の優れた効果を有する。
（１）上半身を傾斜させた状態で就寝するため、胃酸が食道に逆流することを緩和することができる。
（２）第１のマットと第２のマットの連結点から第２のマット中央部にかけ水平面を設けて、大腿部をしっかりと支えるため、マットから体がずれ落ちることを防ぐことができ、上半身の傾斜姿勢を保持したまま仰臥もしくは横臥することができる。
（３）第２のマットに傾斜する脚部載置面を設けて、下腿部を傾斜した状態で支えるため、足先を敷設面に着地させて安定して仰臥もしくは横臥することができる。
（４）第１のマットと第２のマットの折り畳み長さを等しくしたため、折り畳んだ際には端部が揃うことで、持ち運びが容易となる。
（５）高弾性ウレタンフォームの上層に低反発ウレタンフォームを積層しマットを形成したため、上層でゆっくりと体が沈み下層で体荷重を十分に支え、快適な睡眠を得ることができる。
【図面の簡単な説明】
【００１１】
【図１】本考案に係る逆流性食道炎対処用マットの実施例を示す斜視図である。
【図２】本考案の使用状態を示す側面図である。
【図３】図１のＡ−Ａ線断面図である。
【考案を実施するための形態】
【００１２】
以下、本考案を実施するための最良の形態を、図面に示す実施例に基づいて説明する。図１は本考案に係る逆流性食道炎対処用マットの実施例を示す斜視図であり、図２は本考案の使用状態を示す側面図であり、図３は図１のＡ−Ａ線断面図である。
【実施例】
【００１３】
図１、図２に示すように、本考案に係る逆流性食道炎対処用マット１は、傾斜している背部載置面３を備えた第１のマット１ａと、一端から略中央部まで所定の長さ設けられた水平面とその水平面の終端から下端に向かって傾斜する脚部載置面４を備えた第２のマット１ｂを、連結部２ａで折り畳み可能に形成される。第１のマット１ａの連結部２ａ側端の厚みと、第２のマット１ｂの連結部２ａ側端の厚みは同じ厚みになるよう形成される。
【００１４】
第１のマット１ａは、図２に示すように、主に上半身を載置して使用する。第１のマット１ａの形状は、幅が８５ｃｍ、底辺の長さが６７ｃｍ、頂部側端の厚みを１７ｃｍ、連結部２ａ側端の厚みを７ｃｍとし、背部載置面３の傾斜角度θがマットの敷設面に対して約８．５°傾斜している縦断面視が台形状の６面体に形成される。図に示すように、上半身に傾斜をつけることで、食道８は口を上端とし胃７を下端とする傾斜状態となる。そのため、胃７内の胃酸７ａは、傾斜角度θで傾く食道８内へ逆流し食道８を口側へのぼることを防ぐことができる。使用者の身長によりマット寸法は適宜変更することが好ましいが、傾斜角度θについては、大きくなると腰に負担がかかり、小さいと逆流性食道炎を防ぐことができなくなる。そのため傾斜角度については好ましくは７°〜１２°、さらに好ましくは８°〜１１°とする。第１のマット１ａのクッション材は、図３に示すように、高弾性ウレタンフォーム６の上面に、厚み３ｃｍの低反発ウレタンフォーム５の下面を接着剤で貼り合わせ加工を施した２層構造で形成される。
【００１５】
第２のマット１ｂは、図２に示すように、主に下半身の大腿部を水平面に載置し、下腿部を脚部載置面４に載置して使用する。第２のマット１ｂの形状は、幅が８５ｃｍ、底辺の長さが６７ｃｍ、水平面の長さが４０ｃｍ、脚部載置面４の傾斜長さが２７ｃｍとし、縦断面視が５角形の７面体に形成される。厚みは前述したように、水平面の部分の厚みが第１のマット１ａの連結部２ａ側端と同じ厚みで７ｃｍに形成され、脚部載置面４の下端側の厚みが５ｃｍに形成される。第１のマット１ａに第２のマット１ｂが重なるように折り畳むことを考慮して、第２のマット１ｂの底辺長さは、第１のマット１ａと同じ長さに形成される。第２のマット１ｂのクッション材は、図３に示すように、水平面では高弾性ウレタンフォーム６の上面に、厚み３ｃｍの低反発ウレタンフォーム５の下面を、接着剤で貼り合わせ加工を施した２層構造に形成され、脚部載置面４では低反発ウレタンフォーム５のみの単層構造で形成される。
【００１６】
マットカバー２は、図１、図３に示すように第１のマット１ａと第２のマット１ｂを包み、第１のマット１ａの幅方向の１辺と第２のマット１ｂの幅方向の１辺を縫合した連結部２ａを形成してなる。この連結部２ａにより、第１のマット１ａに第２のマット１ｂを重ね合わせるようにして折り畳むことが可能となる。
【００１７】
尚、本実施例では、連結部２ａの構造を、縫合して形成しているが、第１のマット１ａに第２のマット１ｂを重ねるようにして折り畳むことが可能であれば良く、限定するものではない。このように本考案の要旨を逸脱しない範囲内において種々変更を加え得ることは言うまでもない。
【符号の説明】
【００１８】
１    逆流性食道炎対処用マット
１ａ  第１のマット
１ｂ  第２のマット
２    マットカバー
２ａ  連結部
３    背部載置面
４    脚部載置面
５    低反発ウレタンフォーム
６    高弾性ウレタンフォーム
７    胃
７ａ  胃酸
８    食道
θ    傾斜角度
【図１】
0003177474.tif 000003
【図２】
0003177474.tif 000004
【図３】
0003177474.tif 000005